(57)【要約】      （修正有）【課題】ゆかたとしての使用は勿論、水着の上にラッシュガードとして羽織ったり、パレオスカート、ベア・トップ、ホルターネックやバッククロス状態で着用することができるセパレート式ゆかたを提供する。【解決手段】下部を帯で覆うことができる長さ寸法に形成された着物用上着と、上端部を前記帯で覆うことができる着物用スカート３とからなるセパレート式ゆかたにおいて、前記着物用スカートをスカート用後身頃１１と、このスカート用後身頃の両端部に縫着されたスカート用前身頃１２と、前記スカート用後身頃の上部および前記スカート用前身頃の上部の前記スカート用後身頃側部位に中央部の下端部が縫着された結び紐１３と、前記スカート用前身頃の上部の前記結び紐が縫着されていない部位を着脱可能に前記結び紐に取付ける取付手段１６とでセパレート式ゆかたを構成している。【選択図】図５
0003149269.tif 000002
【実用新案登録請求の範囲】
【請求項１】
下部を帯で覆うことができる長さ寸法に形成された着物用上着と、上端部を前記帯で覆うことができる着物用スカートとからなるセパレート式ゆかたにおいて、前記着物用スカートをスカート用後身頃と、このスカート用後身頃の両端部に縫着されたスカート用前身頃と、前記スカート用後身頃の上部および前記スカート用前身頃の上部の前記スカート用後身頃側部位に中央部の下端部が縫着された結び紐と、前記スカート用前身頃の上部の前記結び紐が縫着されていない部位を着脱可能に前記結び紐に取付ける取付手段とで構成されていることを特徴とするセパレート式ゆかた。
【請求項２】
着物用上着の下部寄りの後身頃と前身頃の縫着部にベルトループが設けられるとともに、結び紐とスカート用前身頃の上部との取付手段は複数個のボタンと、このボタンが挿入されるボタン挿入孔とで構成されていることを特徴とする請求項1記載のセパレート式ゆかた。
【考案の詳細な説明】
【技術分野】
【０００１】
本考案はゆかたとしての使用は勿論、水着の上に着物用上着を羽織ってラッシュガードとして使用したり、着物用スカートをパレオスカート、ベア・トップ、ホルターネックやバッククロス状態で着用することができるセパレート式ゆかたに関する。
【背景技術】
【０００２】
従来のセパレート式ゆかたは一人でも楽に着ることができるように考えられていた。
このため、その使用はゆかたや和服に限られていた。
【先行技術文献】
【特許文献】
【０００３】
【特許文献１】特開２００２−４１１１
【０００４】
【特許文献２】特開平７−４８７０４
【考案の概要】
【考案が解決しようとする課題】
【０００５】
本考案は以上のような従来の欠点に鑑み、ゆかたとしての使用は勿論、水着の上にラッシュガードとして羽織ったり、パレオスカート、ベア・トップ、ホルターネックやバッククロス状態で着用することができるセパレート式ゆかたを提供することを目的としている。
【０００６】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】
上記目的を達成するために、本考案は下部を帯で覆うことができる長さ寸法に形成された着物用上着と、上端部を前記帯で覆うことができる着物用スカートとからなるセパレート式ゆかたにおいて、前記着物用スカートをスカート用後身頃と、このスカート用後身頃の両端部に縫着されたスカート用前身頃と、前記スカート用後身頃の上部および前記スカート用前身頃の上部の前記スカート用後身頃側部位に中央部の下端部が縫着された結び紐と、前記スカート用前身頃の上部の前記結び紐が縫着されていない部位を着脱可能に前記結び紐に取付ける取付手段とでセパレート式ゆかたを構成している。
【考案の効果】
【０００８】
以上の説明から明らかなように、本発明にあっては次に列挙する効果が得られる。
【０００９】
（１）下部を帯で覆うことができる長さ寸法に形成された着物用上着と、上端部を前記帯で覆うことができる着物用スカートとからなるセパレート式ゆかたにおいて、前記着物用スカートをスカート用後身頃と、このスカート用後身頃の両端部に縫着されたスカート用前身頃と、前記スカート用後身頃の上部および前記スカート用前身頃の上部の前記スカート用後身頃側部位に中央部の下端部が縫着された結び紐と、前記スカート用前身頃の上部の前記結び紐が縫着されていない部位を着脱可能に前記結び紐に取付ける取付手段とで構成されているので、帯を用いることによりゆかたや和服として使用することができる。
【００１０】
（２）前記（１）により、着物用スカートの取付手段を外した状態にすることにより、ベア・トップ、ホルターネックやバッククロス状態で着用すると、スカート用前身頃の取付手段で外れた部分が衿状態となり、きれいに着こなすことができる。
【００１１】
（３）前記（１）により、着物用スカートをパレオスカートとして使用する場合、身体の内側に位置させるスカート用前身頃の取付手段を取付け、外側に位置させるスカート用前身頃の取付手段を外して使用することにより、この部分が三角形状となって垂れ下がり、形状のアクセントとなり、きれいに着こなすことができる。
【００１２】
（４）前記（１）により、着物用上着はラッシュガードとして使用することができる。
【００１３】
（５）前記（１） 〜（４）によって、着物用上着および着物用スカートはゆかたや和服としての使用は勿論、別々にしてラッシュガード、ベア・トップ、ホルターネック、バッククロス、パレオスカート等として、スタイルを変えて着用することができる。
【００１４】
（６）請求項２は着物用上着に設けたベルトループによって、ベルトや結び紐を該ベルトループに通して結ぶことにより、はだけることなく、着用することができる。
【図面の簡単な説明】
【００１５】
【図１】本考案を実施するための最良の第１の形態の正面図。
【図２】本考案を実施するための最良の第１の形態の背面図。
【図３】本考案を実施するための最良の第１の形態の着物用上着の正面図。
【図４】本考案を実施するための最良の第１の形態の着物用上着の背面図。
【図５】本考案を実施するための最良の第１の形態の着物用スカートの展開図。
【図６】本考案を実施するための最良の第１の形態の着物用スカートの取付手段を外した状態の展開図。
【図７】本考案を実施するための最良の第１の形態の着物用上着を着た状態の説明図。
【図８】本考案を実施するための最良の第１の形態の着物用スカートを着用した状態の説明図。
【図９】本考案を実施するための最良の第１の形態のラッシュガードとしての使用説明図。
【図１０】本考案を実施するための最良の第１の形態の結び紐を用いたラッシュガードとしての使用説明図。
【図１１】本考案を実施するための最良の第１の形態のパレオスカートとしての使用説明図。
【図１２】本考案を実施するための最良の第１の形態のベア・トップ状態での使用説明図。
【図１３】本考案を実施するための最良の第１の形態のバッククロス状態での使用説明図。
【図１４】本考案を実施するための最良の第１の形態のホルターネック状態での使用説明図。
【図１５】本考案を実施するための第２の形態の分解正面図。
【図１６】本考案を実施するための第２の形態の着物用スカートの展開図。
【図１７】本考案を実施するための第２の形態の着物用スカートの取付手段を外した状態の展開図。
【図１８】本考案を実施するための第３の形態の分解正面図。
【図１９】本考案を実施するための第３の形態の着物用スカートの展開図。
【図２０】本考案を実施するための第３の形態の着物用スカートの取付手段を外した状態の展開図。
【考案を実施するための形態】
【００１６】
以下、図面に示す本考案を実施するための形態により、本考案を詳細に説明する。
【００１７】
図１ないし図１４に示す本考案を実施するための第１の形態において、１は水着の上に着用することができるポリエステル等の素材を用いた本考案のセパレート式ゆかたで、このセパレート式ゆかた１は下部を帯で覆うことができる長さ寸法に形成された着物用上着２と、上端部を前記帯で覆うことができる着物用スカート３と、この着物用スカート３の上部と前記着物用上着２の下部を覆うことができる胴巻き帯４および結び紐５とで構成されている。
【００１８】
前記着物用上着２は図３および図４に示すように、一端部を縫着された一対の後身頃６、６と、この一対の後身頃６、６の遊端部の下部寄りの部位にそれぞれ逢着された一対の前身頃７、７と、この一対の前身頃７、７の遊端部および前記一対の後身頃６、６の上端部に逢着された衿８と、前記一対の後身頃６、６の遊端部の上部寄りの部位および前記一対の前身頃７、７の基部の上部寄りの部位にそれぞれ縫着された一対の袖９、９と、前記一対の後身頃６、６と前記一対の前身頃７、７の縫着部の中央部寄りの部位に縫着固定されたベルトループ１０、１０とで構成されている。
【００１９】
前記着物用スカート３は図５および図６に示すように、一端部を逢着された一対のスカート用後身頃１、１１と、この一対のスカート用後身頃１１、１１の遊端部にそれぞれ逢着された一対のスカート用前身頃１２、１２と、前記スカート用後身頃１１、１１の上部および前記スカート用前身頃１２、１２の上部の、前記スカート用後身頃１、１１側部位に中央部の下端部が縫着された帯状の結び紐１３と、前記スカート用前身頃１２、１２の上部の前記結び紐１３が縫着されていない部位を着脱可能に、該結び紐１３に取付ける複数個のボタン１４、１４、１４、１４、このボタン１４、１４、１４、１４が挿入されるボタン挿入孔１５、１５、１５、１５とからなる取付手段１６、１６とで構成されている。
【００２０】
上記構成のセパレート式ゆかた１は着物用上着２を着て、図７に示すように結び紐１７を、ベルトループ１０、１０を通して結ぶ。
しかる後、取付手段１６、１６でスカート用前身頃１２、１２と結び紐１３とを取付けた着物用スカート３の上部を着物用上着２の下部寄りの上部に位置させて巻き付け、図８に示すように結び紐１３で結び、固定するとともに、紐１８を用いてお端折り１９ができるように折りたたみ、前記結び紐１３の上部を胴巻き用帯4で巻き付け、結び紐５で結ぶことにより、図１および図２に示すようにセパレート式ゆかたの着付けが完了する。
【００２１】
水着を着た上にラッシュガードとして使用する場合には、図９に示すように着物用上着２を羽織るだけで使用したり、図１０に示すようにベルトループ１０、１０に結び紐１７を通して結ぶことにより、はだけることなく使用できる。
【００２２】
また、着物用スカート３をパレオスカートとして使用する場合には、図１１に示すように前に位置される部位のスカート用前身頃１２と結び紐１３との取付手段１６を外して着用することにより、取付手段１６から外れたスカート用前身頃１２の端部が三角形状で垂れ下がった状態となり、形状的にアクセントのあるスカートとなり、きれいに着こなすことができる。
【００２３】
着物用スカート３をベア・トップ状態で着る場合、スカート用前身頃１２、１２の結び紐１３との取付手段１６、１６を外して、図１２に示すように着たり、図１３に示すようなバッククロス状態で着たり、図１４に示すようなホルターネック状態で着ることができる。
この場合、スカート用前身頃１２、１２の結び紐１３との取付手段１６、１６を外して着ることにより、取付手段１６、１６より外れたスカート用前身頃１２、１２部位が三角形状の衿状態となって楽しく見せることができる。
[考案を実施するための異なる形態]
【００２４】
次に、図１５ないし図２０に示す本考案を実施するための異なる形態につき説明する。なお、これらの本考案を実施するための異なる形態の説明に当って、前記本考案を実施するための最良の第１の形態と同一構成部分には同一符号を付して重複する説明を省略する。
【００２５】
図１５ないし図１７に示す本考案を実施するための第２の形態において、前記本考案を実施するための最良の第１の形態と主に異なる点は、スカート用前身頃１２、１２と結び紐１３とを着脱可能に取付ける取付手段として、ファスナー２２、２２を使用した着物用スカート３Ａを用いた点で、このような着物用スカート３Ａを用いて構成したセパレート式ゆかた１Ａにしても、前記本考案を実施するための最良の第１の形態と同様な作用効果が得られる。
【００２６】
図１８ないし図２０に示す本考案を実施するための第３の形態において、前記本考案を実施するための最良の第１の形態と主に異なる点は、スカート用前身頃１２、１２と結び紐１３とを着脱可能に取付ける取付手段として面ファスナー２３、２３を使用した着物用スカート３Ｂを用いた点で、このような着物用スカート３Ｂを用いて構成したセパレート式ゆかた１Ｂにしても、前記本考案を実施するための最良の第１の形態と同様な作用効果が得られる。
【産業上の利用可能性】
【００２７】
本考案は水着の上に羽織ってラッシュガードとして使用したり、パレオスカート、バッククロス、ホルターネック等のベア・トップとして使用することもできるセパレート式ゆかたを製造する産業で利用される。
【符号の説明】
【００２８】
１、１Ａ、１Ｂ：セパレート式ゆかた、
２：着物用上着、
３、３Ａ、３Ｂ：着物用スカート、
４：胴巻き用帯、              ５：結び紐、            
６：後身頃、                  ７：前身頃、
８：衿、                      ９：袖、
１０：ベルトループ、          １１：スカート用後身頃、
１２：スカート用前身頃、      １３：結び紐、
１４：ボタン、                １５：ボタン挿入孔、
１６：取付手段、              １７：結び紐、
１８：紐、                    １９：お端折り、
２２：ファスナー、            ２３：面ファスナー。
【図１】
0003149269.tif 000003
【図２】
0003149269.tif 000004
【図３】
0003149269.tif 000005
【図４】
0003149269.tif 000006
【図５】
0003149269.tif 000007
【図６】
0003149269.tif 000008
【図７】
0003149269.tif 000009
【図８】
0003149269.tif 000010
【図９】
0003149269.tif 000011
【図１０】
0003149269.tif 000012
【図１１】
0003149269.tif 000013
【図１２】
0003149269.tif 000014
【図１３】
0003149269.tif 000015
【図１４】
0003149269.tif 000016
【図１５】
0003149269.tif 000017
【図１６】
0003149269.tif 000018
【図１７】
0003149269.tif 000019
【図１８】
0003149269.tif 000020
【図１９】
0003149269.tif 000021
【図２０】
0003149269.tif 000022